(57)【特許請求の範囲】
【請求項１】
外側バリア層及び内部空洞を含むブラダー部材であって、内部空洞が流体によって満たされており、外側バリア層が、履物の物品のかかと部分から履物の物品の前足部分へ延び、外側バリア層が、ブラダー部材の外周の周りに伸びて且つ履物の物品の使用の間に露出されるブラダー側壁を含む、ブラダー部材と；
地面に接触するための外表面、ブラダー部材と接触している内表面、及び、地面と内表面との間で伸びて且つブラダー側壁に隣接して配されるアウトソール側壁を含むアウトソール部材と；
ブラダー部材と向き合い、ブラダー部材よりもアウトソールの外表面から遠くに配されるミッドソール部材と；
第１の色に対応する第１の染料を有する外側バリア層の第１のブラダー部分、及び、第１の色と異なる第２の色に対応する第２の染料を有する外側バリア層の第２のブラダー部分、及び、第１のブラダー部分と第２のブラダー部分との間に配され、且つ、第１の色に対応する第１の染料と第２の色に対応する第２の染料とを有する外側バリア層の第３のブラダー部分を含むブラダー部材であって、第１の染料と第２の染料とが第３のブラダー部分でブラダー側壁を着色するようにブレンドする、ブラダー部材と；
第１の色を有する第１のアウトソール部分、第２の色を有する第２のアウトソール部分、及び、第１の色と第２の色とのブレンドを有する第３のアウトソール部分を含むアウトソール部材と；
第１の色を有する第１のミッドソール部分、第２の色を有する第２のミッドソール部分、及び第１の色と第２の色とのブレンドを有する第３のミッドソール部分を含むミッドソール部材と；
を含み、
第１のアウトソール部分が、第１のブラダー部分と位置合わせされて、第１のブラダー部分の第１の色を第１のアウトソール部分の第１の色と位置合わせし、第２のブラダー部分の第２の色を第２のアウトソール部分の第２の色と位置合わせし、且つ、第３のブラダー部分の第１の色及び第２の色を第３のアウトソール部分の第１の色及び第２の色それぞれと位置合わせし、
第１のミッドソール部分が、第１のブラダー部分と位置合わせされて、第１のブラダー部分の第１の色を第１のミッドソール部分の第１の色と位置合わせし、第２のブラダー部分の第２の色を第２のミッドソール部分の第２の色と位置合わせし、且つ、第３のブラダー部分の第１の色及び第２の色を第３のミッドソール部分の第１の色及び第２の色それぞれと位置合わせし、
第１のブラダー部分、第１のアウトソール部分及び第１のミッドソール部分が、ソールシステムの前足部分に配され、
第２のブラダー部分、第２のアウトソール部分及び第２のミッドソール部分が、ソールシステムのかかと部分に配され、
第１の色及び第２の色が、第３のブラダー部分内でブラダー遷移領域を形成するためにブレンドし、第３のアウトソール部分内でアウトソール遷移領域を形成するためにブレンドし、ブラダー遷移領域が、アウトソール遷移領域と位置合わせし、
第１の色及び第２の色が、第３のミッドソール部分内でミッドソール遷移領域を形成するためにブレンドし、ブラダー遷移領域が、ミッドソール遷移領域と位置合わせし、
ブラダー遷移領域、アウトソール遷移領域及びミッドソール遷移領域が、第１の色から第２の色へ連続的に遷移し、
前記ブラダー部材が、前記ブラダー部材と共に組み立てることができる第１のかかとインサート部材及び第２のかかとインサート部材を含み、
前記第１のかかとインサート部材、前記第２のかかとインサート部材及び前記ブラダー部材が、垂直に重ねられた配置に位置付けられるように、前記第１のかかとインサート部材が、前記ブラダー部材の第１の表面上で受け入れられ、前記第２のかかとインサート部材が、前記ブラダー部材の第２の表面上で受け入れられる、履物の物品のためのソールシステム。
【請求項２】
ブラダー部材の外側バリア層が、熱可塑性材料を含む、請求項１に記載のソールシステム。
【請求項３】
第１の色及び第２の色が、ミッドソール側壁の外表面へ適用される、請求項１に記載のソールシステム。
【請求項４】
インサート部材が、ブラダー部材の一部分に相当する色を有する、請求項１から３の何れか一項に記載のソールシステム。
【請求項５】
第１のミッドソール部分が、第１のブラダー部分の上に垂直に配される、請求項１から４の何れか一項に記載のソールシステム。
【発明の詳細な説明】
【技術分野】
【０００１】
本実施形態は、一般的に履物の物品に、特に、ソールシステムを備える履物の物品に関する。
【背景技術】
【０００２】
履物の物品は一般的に、二つの基本的な要素：アッパー及びソールシステムを含む。アッパーは、足を快適に且つ安全に受け入れるために履物の内部上に空間を形成するために一緒に縫合される、又は接着接合される複数の材料要素（例えば、織物、ポリマーシート層、泡層、皮革及び合成皮革）からしばしば形成される。より具体的には、アッパーは、足の内側及び外側に沿って、且つ足のかかと領域の周りに、足の甲及び足のつま先領域にわたって伸びる構造を形成する。アッパーは、履物のフィットを調節するためのレーシングシステムも組み込み得、同様に、アッパー内の空間からの足の出し入れを可能にする。
【発明の概要】
【課題を解決するための手段】
【０００３】
一態様では、履物の物品のためのソールシステムは、外側バリア層及び内部空洞を含むブラダー部材を含み、内部空洞は流体で満たされている。ソールシステムはまた、地面に接触するための外表面、及びブラダー部材と接触する内表面を含むアウトソール部材を含む。ブラダー部材は、外側バリア層の第１のブラダー部分、及び外側バリア層の第２のブラダー部分を含み、アウトソール部材は、第１のアウトソール部分及び第２のアウトソール部分を含む。第１のブラダー部分は、第１の色に対応する第１の染料を含み、第２のブラダー部分は、第１の色とは実質的に異なる第２の色に相当する第２の染料を含む。第１のアウトソール部分は、第１の色を有するゴム材料で作製され、第２のアウトソール部分は、第２の色を有するゴム材料で作製される。
【０００４】
他の一つの態様では、履物の物品のためのソールシステムは、外側バリア層及び内部空洞を含むブラダー部材を含み、内部空洞は流体によって満たされている。ソールシステムはまた、ブラダー部材と向き合うように適合されたミッドソール部材を含み、ミッドソール部材は、ブラダー部材よりもソールシステムの地面接触面から遠くに配される。ブラダー部材は、外側バリア層の第１のブラダー部分、及び外側バリア層の第２のブラダー部分を含む。ミッドソール部材は、第１のミッドソール部分及び第２のミッドソール部分を含む。第１のブラダー部分は、第１の色に対応する第１の染料を含み、第２のブラダー部分は、第１の色とは異なる第２の色に相当する第２の染料を含む。第１のミッドソール部分は、第１の色を有する外側被覆層を含み、第２のミッドソール部分は、第２の色を有する外側被覆層を含む。
【０００５】
他の一つの態様では、履物の物品のためのソールシステムは、外側バリア層及び内部空洞を含むブラダー部材を含み、内部空洞は流体によって満たされ、ミッドソール部材は、ブラダー部材の第１の表面と接触する内表面を含み、アウトソール部材は、地面と接触するための外表面、及びブラダー部材の第２の表面と接触する内表面を含む。ブラダー部材は、ブラダー部材に関する色を提供する少なくとも一つの染料を含む。ミッドソール部材は、ミッドソール部材に関する色を提供する少なくとも一つの被覆層を含む。加えて、ブラダー部材の少なくとも一部分、ミッドソール部材の少なくとも一部分、及びアウトソール部材の少なくとも一部分は、一致する色（ｍａｔｃｈｉｎｇ  ｃｏｌｏｒ）を有する。
【０００６】
実施形態の、他のシステム、方法、特徴及び優位点は、以下の図面及び詳細な説明の検討時に、当業者に明らかであるであろう、又は明らかになるであろう。全てのこのような追加のシステム、方法、特徴及び優位点は、この説明及びこのまとめ内に含まれ、実施形態の範疇内であり、以下の特許請求の範囲によって保護されるものと意図される。
【０００７】
実施形態は、以下の図面及び説明を参照することによってより良く理解され得る。図面における構成要素は、必ずしも縮尺通りでは無く、実施形態の原理を示す際に代わりに強調して配される。さらに、図面では、同様の参照番号は、異なる視点にわたって、対応する部品を指す。
【図面の簡単な説明】
【０００８】
【図１】ソールシステムの実施形態の概略的等角図である。
【図２】ソールシステムの実施形態の概略的分解等角図である。
【図３】ソールシステムの実施形態の概略的側面図である。
【図４】ソールシステムの実施形態の概略的底面図である。
【図５】インサートを含むソールシステムのブラダー部材の上面の実施形態の概略的等角図である。
【図６】インサートを含むソールシステムのブラダー部材の底面の実施形態の概略的等角図である。
【図７】ブラダー部材の実施形態の概略的等角図である。
【図８】ミッドソール部材及びブラダー部材の実施形態の概略的等角図である。
【図９】ソールシステムの一部分の拡大切断図を含むソールシステムの実施形態の概略的等角図である。
【図１０】ブラダー部材を染色するためのプロセスの実施形態の概略的等角図である。
【図１１】ソールシステムの他の一つの実施形態の概略的側面図である。
【図１２】ソールシステムの実施形態の概略的底面図である。
【図１３】ソールシステムの他の一つの実施形態の概略的側面図である。
【図１４】ソールシステムの実施形態の概略的底面図である。
【発明を実施するための形態】
【０００９】
図１及び２は、ソールシステム１００の実施形態の概略的等角図を示す。説明のために、ソールシステム１００は、履物の物品の他の構成要素から隔離されて示される。しかしながら、ソールシステム１００は、ハイキングブーツ、サッカーシューズ、フットボールシューズ、スニーカー、ランニングシューズ、クロストレーニングシューズ、ラグビーシューズ、バスケットボールシューズ、ベースボールシューズ及び他の種類の靴を含むが、それらに限定されない、様々な異なる種類の履物のソールとして利用され得るが理解されるであろう。さらに、いくつかの実施形態では、ソールシステム１００は、スリッパ、サンダル、ハイヒール靴、ローファー及び他の種類の履物を含むが、それらに限定されない、様々な種類の非スポーツ関連の履物による使用のために構成され得る。
【００１０】
図１を参照すると、参照の目的のために、ソールシステム１００は、前足部分１０、足中央部分１２及びかかと部分１４に分けられ得る。前足部分１０は一般的に、指骨と中足骨を接続している関節、及びつま先に関連し得る。足中央部分１２は一般的に、足のアーチに関連し得る。同様に、かかと部分１４は一般的に、踵骨を含む、足のかかとに関連し得る。加えて、ソールシステム１００は、外側１６及び内側１８を含み得る。特に外側１６及び内側１８は、ソールシステム１００の対向する側部であり得る。さらに、外側１６及び内側１８の両方は、前足部分１０、足中央部分１２及びかかと部分１４を通って伸び得る。
【００１１】
前足部分１０、足中央部分１２及びかかと部分１４は、説明の目的のために意図されるのみであり、ソールシステム１００の正確な領域の境界を定めることを意図したものではないことが理解されるであろう。同様に、外側１６及び内側１８は、ソールシステム１００を二つの半分へ正確に境界を定めるよりも、物品の二つの側面を一般的に表すことが意図される。
【００１２】
一貫性及び利便性のために、方向の形容詞が、示された実施形態に対応するこの詳細な説明を通して採用される。この詳細な説明にわたって、及び特許請求の範囲において用いられるような“縦の（ｌｏｎｇｉｔｕｄｉｎａｌ）”との用語は、ソールシステムの長さを伸ばす方向を指す。いくつかの場合では、縦方向は、ソールシステムの前足部分からかかと部分へ伸び得る。また、この詳細な説明にわたって、及び特許請求の範囲において用いられるような“横の（ｌａｔｅｒａｌ）”との用語は、ソールシステムの幅に沿って伸びる方向を指す。言い換えると、横方向は、ソールシステムの内側と外側との間で伸び得る。さらに、この詳細な説明を通して、及び特許請求の範囲において用いられるような“垂直な（ｖｅｒｔｉｃａｌ）”との用語は、縦方向及び横方向に対して一般的に垂直な方向を指す。例えば、ソールシステムが地面の上にしっかりと置かれる場合、垂直方向は、地面から上向きに伸び得る。加えて、“近位の（ｐｒｏｘｉｍａｌ）”との用語は、履物の物品が着用されるときに、足の一部分により近い、ソールシステムの一部分を指す。同様に、“遠位の”との用語は、履物の物品が着用されるときに、足の一部分からさらに遠くであるソールシステムの一部分を指す。これらの方向の形容詞の各々は、アウトソール部材、ミッドソール部材、ブラダー部材、及びソールシステムの可能性のある他の構成要素等の、ソールシステムの個別の構成要素を説明することに用いられ得ることが理解されるであろう。
【００１３】
ソールシステム１００は、履物の関連物品に関して様々な機能を提供し得る。いくつかの実施形態では、ソールシステム１００は、物品１００に関してトラクション（ｔｒａｃｔｉｏｎ）を提供するように構成され得る。トラクションを提供することに加えて、ソールシステム１００は、歩いている、走っている、又は他の歩行活動中に、地面と足との間で圧縮されるときに、地面反力を弱め得る。ソールシステム１００の配置は、異なる実施形態において有意に変わり得て、様々な従来の、又は非従来の構造を含む。いくつかの場合では、ソールシステム１００の配置は、ソールシステム１００がその上で用いられ得る地面の一以上の種類に従って構成され得る。地面の例は、天然芝、人工芝、土、及び他の表面を含むが、それらに限定されない。
【００１４】
履物の物品の一部分であるとき、ソールシステム１００はアッパーに固定され得え、履物の物品が着用されるときに地面と足との間で伸び得る。異なる実施形態では、ソールシステム１００は、異なる構成要素を含み得る。例えば、ソールシステム１００は、アウトソール、ミッドソール及び／又はインソールを含み得る。いくつかの場合では、一以上のこれらの構成要素は、任意であり得る。以下で、ソールシステム１００の例示的実施形態のいくつかの構成要素を議論する。
【００１５】
図３は、ソールシステム１００の概略的側面図を示す。図３は、ソールシステム１００の外側１６を示すが、いくつかの実施形態では、内側１８が、外側１６と実質的に同様であることがあることが理解されるであろう。図４は、ソールシステム１００の底面図を示す。
【００１６】
ここで図１から４を参照すると、ソールシステム１００の実施形態は、トラクション、クッション、サポート、エネルギーリターンを含む特徴、及び、場合によっては他の特徴を促進する多様な構成要素を含み得る。いくつかの実施形態では、ソールシステム１００は、少なくとも３つの個別の構成要素又は部材：アウトソール部材１４０、ブラダー部材１６０及びミッドソール部材１８０を含み得る
いくつかの実施形態では、アウトソール部材１４０は、内表面１４２及び外表面１４４を含む。外表面１４４は、地面接触面であり得る、つまり、履物の物品が使用される際に、地面と接触するように構成され得る。トラクションを促進するために、いくつかの実施形態では、アウトソール部材１４０は、複数のトラクション要素１４６を含み得る。複数のトラクション要素１４６は、外表面１４４と共に一体的に形成される、又はそうでなければ外表面１４４に取り付けられる、隆起したフィーチャを含み得る。実施形態では、複数のトラクション要素１４６は、任意の数のトラクション要素として構成され得、任意のパターン又は配置において配され得る。
【００１７】
アウトソール部材１４０の他の実施形態は、トラクション要素を含むことがある、又は含まないことがある。他の実施形態では、例えば、アウトソール部材１４０は、実質的に平坦な、又は滑らかな地面接触面を有し得る。さらに他の実施形態では、アウトソール部材１４０は、地面によるトラクションを強化するための、他の表面フィーチャ及び／又はテクスチャを含み得る。さらに、いくつかの他の実施形態では、アウトソール部材１４０は、（草、土、芝等の）地面内に浸透するように構成され得る、個別の滑り止め部材等の、追加のトラクション強化フィーチャによって構成され得る。
【００１８】
アウトソール部材１４０のいくつかの実施形態は、柔軟性を強化するための条件を含み得る。いくつかの実施形態では、アウトソール部材１４０は、柔軟性を強化するための役割を果たし得る複数のスロット１４９を含み得る。いくつかの場合では、（以下で議論される）下部のブラダー部材１６０の一部分は、複数のスロット１４９を通して見え得る。
【００１９】
ブラダー部材１６０は、内部空洞１６４の境界を示す外側バリア層１６２を含み得る（図９参照）。いくつかの実施形態では、内部空洞１６４は、液体又は気体を含む、流体によって満たされ得、外側バリア層１６２は、流体に対して実質的に不浸透性であり得る。一実施例として、内部空洞１６４は、空気によって満たされ得、外側バリア層１６２は、空気に対して実質的に不浸透性であり得る。この配置によって、ブラダー部材１６０は、クッション要素としての役割を果たして、心地よさ、サポート、及び、場合によってはソールシステム１００のエネルギーリターン特性を増加させる。
【００２０】
いくつかの実施形態では、ブラダー部材は、一以上の内部構造によって構成され得る。このような内部構造は、外側バリア層によって囲まれ得る。このような構造は、例えば、ブラダー部材の強度を増加することによって、クッション特性を増加することによって、及び／又は、ブラダー部材に関する所定の形状の維持を助けることによって、ブラダー部材の材料特性を強化し得る。例示的な内部構造は、ファイバーを含む構造、プラスチックを含む構造、及び、場合によっては他の種類の構造を含むが、それらに限定されない。
【００２１】
ここで図３を参照すると、ブラダー部材１６０のいくつかの実施形態は、（図３に見られる）内部サポート構造１６８を含み得る。内部サポート構造１６８は、ブラダー部材１６０の長さ通って伸び得る。いくつかの場合では、内部サポート構造１６８は、内部サポート構造１６８の実質的に固体の（ｓｏｌｄ）中間部分１７４によって接続される、第１のセットの円柱様構造１７０及び第２のセットの円柱様構造１７２を含み得る。さらに、第１のセットの円柱様構造１７０、中間部分１７４及び第２のセットの円柱様構造１７２は、それぞれ、ブラダー部材１６０の（及びソールシステム１００の）前足部分１０、足中央部分１２及びかかと部分１４に関連し得る。
【００２２】
図５及び６は、ブラダー部材１６０の二つの側面の概略的等角図を示す。図７は、ブラダー部材１６０の他の一つの等角図を示す。図５から７を参照すると、ブラダー部材１６０は、側壁表面１７９によって接続される、第１の表面１７６及び第２の表面１７８を含み得る。いくつかの実施形態では、第１の表面１７６及び第２の表面１７８は、様々な表面フィーチャを有するように構成され得る。例えば、いくつかの実施形態では、第１の表面１７６及び第２の表面１７８は、前足リセス５１０を含み得る。いくつかの実施形態では、前足リセス５１０は、（図３に見られる）第１のセットの円柱様構造１７０を生成する、又はそうでなければ第１のセットの円柱様構造１７０に適合するために、一緒に接合されている材料の一部分に相当し得る。同様にして、第１の表面１７６及び第２の表面１７８は、かかとリセス５１２を含み得る。いくつかの実施形態では、かかとリセス５１２は、第２のセットの円柱様構造１７２を生成する、又はそうでなければ第２のセットの円柱様構造１７２に適合するために、一緒に接合されている材料の一部分に相当し得る。
【００２３】
いくつかの実施形態はまた、ブラダー部材１６０の選択された部分を強化するための条件（ｐｒｏｖｉｓｉｏｎ）を含み得る。図５及び６から分かるように、ブラダー部材１６０は、第１のかかとインサート部材５２０及び第２のかかとインサート部材５２２を受け入れるように構成され得る。具体的には、第１のかかとインサート部材５２０は、第１の表面１７６上でかかとリセス５１２内にフィットする屋根形状突起５３０と共に構成され得る。同様に、第２のかかとインサート部材５２２は、第２の表面１７８上でかかとリセス５１２内にフィットする屋根形状突起５３２と共に構成され得る。各インサートは、第１の表面１７６及び第２の表面１７８に沿った、滑らかな外側に向いた表面をさらに含み得る。特に、第１のかかとインサート部材５２０は、（図８に示される）滑らかな外側に向いた表面５６０を含み、第２のインサート部材５２２は、（図７に示される）滑らかな外側に向いた表面５６２を含む。これは、かかと部分１４での安定性を増加させ得、また、かかと剛性又は他の特性における変化を可能にし得る。
【００２４】
ここで図１から４を参照すると、ミッドソール部材１８０は、内表面１８２（図８を参照）、及び外表面１８４を含み得る。いくつかの実施形態では、外表面１８４は、インソールと向き合うことがある。他の実施形態では、外表面１８４は、インサート及び／又はアッパーの一部分に関連し得る。
【００２５】
ミッドソール部材１８０の材料特性又は特徴は、変わり得る。いくつかの場合では、ミッドソール部材１８０は、実質的に圧縮可能であり得る。しかしながら、他の場合では、ミッドソール部材１８０は、実質的に非圧縮であり得る。さらに、異なる実施形態では、ミッドソール部材１８０の材料特性は、足に関する所望のサポート及びクッションを達成するために選択され得る。
【００２６】
図１から４に見られるように、アウトソール部材１４０、ブラダー部材１６０及びミッドソール部材１８０は、ソールシステム１００を形成するために、重ねられた配置において組み立てられ得る。特に、アウトソール部材１４０の内表面１４２は、ブラダー部材１６０の第２の表面１７８と向き合い得る。また、ミッドソール部材１８０の内表面１８２は、ブラダー部材１６０の第１の表面１７６と向き合い得る。そのため、図面から分かるように、ブラダー部材１６０は、アウトソール部材１４０とミッドソール部材１８０との間に配され得る。さらに、各部材は、アウトソール部材１４０が、ブラダー部材１６０に対して遠位に配されるように積み重ねられ、一方で、アウトソール部材１４０及びブラダー部材１６０の両方は、ミッドソール部材１８０に対して遠位に配される。
【００２７】
図８は、ミッドソール部材１８０及びブラダー部材１６０の概略的等角図を示す。図７を参照すると、いくつかの実施形態では、ミッドソール部材１８０は、望まれていないスライド、又は、ミッドソール部材１８０とブラダー部材１６０との間の他の動きを防止するように、ブラダー部材１６０の第１の表面１７６とフィットするように形作られ得る。いくつかの実施形態では、ミッドソール部材１８０の内表面１８２は、ブラダー部材１６０の第１の表面１７６の表面フィーチャにフィットするように形作られ得る。例えば、内表面１８２は、隆起した中央部分７０２、及び前足リッジ７０４を含み得て、ブラダー部材１６０の、それぞれ、対応する中央リセス７０６及び前足リセス５１０内にフィットし得る。
【００２８】
一以上の構成要素の寸法は、一実施形態と他の一つの実施形態とで変わり得る。いくつかの実施形態では、ソールシステム１００の一以上の部材は、完全長の部材であり得る。例示的実施形態では、アウトソール部材１４０、ブラダー部材１６０及びミッドソール部材１８０は、ソールシステム１００のかかと部分１４から前足部分１０へ伸びる、完全長の部材であり得る。他の実施形態では、ソールシステム１００の一以上の部材は、部分長の部材であり得る。例として、代替実施形態では、ブラダー部材１６０は、ソールシステム１００のかかと部分１４及び足中央部分１２を通って伸びるのみであり得、ソールシステム１００の前足部分１０から欠けていることがある。
【００２９】
異なる実施形態では、各部材の材料組成は変わり得る。アウトソール部材１４０は、アウトソールを作製するために当該技術分野で既知の任意の材料で作製され得る。例示的材料は、天然ゴム、合成ゴム、ポリウレタン、デュアル密度ポリウレタン、皮革、合成皮革、ラテックス、及び、場合によっては、他の材料を含むが、それらに限定されない。一例示的材料は、過酸化物硬化ゴムである。
【００３０】
ミッドソール部材１８０は、同様に、ミッドソールを作製するために当該技術分野で既知の任意の材料で作製され得る。例示的材料は、アウトソールに関して上述された任意の材料、及び、場合によっては、様々な種類の発泡材料を含む他の材料を含む。ミッドソール部材１８０を作製するための一例示的材料は、エチレン酢酸ビニル（ＥＶＡ）発泡体等の発泡材料である。
【００３１】
ブラダー部材１６０は、任意の材料又は材料の組み合わせで作製され得る。ブラダーの一以上の層を形成するために有用であり得る材料は変わり得る。いくつかの場合では、ブラダー部材１６０は、剛体から半剛体材料（ａ  ｒｉｇｉｄ  ｔｏ  ｓｅｍｉ−ｒｉｇｉｄ  ｍａｔｅｒｉａｌ）で作製され得る。他の場合では、ブラダー部材１６０は、実質的に柔軟な材料で作製され得る。ブラダー部材１６０は、異なる実施形態において様々な材料で作製され得る。いくつかの実施形態では、ブラダー部材１６０は、流体力下で変形するように構成される、実質的に柔軟で且つ弾性の材料で作製され得る。いくつかの場合では、ブラダー部材１６０は、プラスチック材料で作製され得る。用いられ得るプラスチック材料の例は、高密度ポリ塩化ビニル（ＰＶＣ）、ポリエチレン、熱可塑性材料、エラストマー材料、及び、様々な材料の組み合わせを含む任意の他の種類のプラスチック材料を含む。熱可塑性ポリマーがブラダーに関して用いられる実施形態では、様々な熱可塑性ポリマー材料が、ブラダーに関して利用され得、ポリウレタン、ポリエステル、ポリエステルポリウレタン、及びポリエーテルポリウレタンを含む。ブラダーに関する他の一つの適切な材料は、参照によって本明細書に組み込まれる、Ｍｉｔｃｈｅｌｌ等による米国特許第５，７１３，１４１号明細書及び第５，９５２，０６５号明細書に開示されるような、熱可塑性ポリウレタンとエチレン−ビニルアルコールコポリマーの交互層から形成されるフィルムである。ブラダーはまた、両方とも参照によって本明細書に組み込まれる、Ｂｏｎｋ等による米国特許第６，０８２，０２５号明細書及び第６，１２７，０２６号明細書に開示されるような、ガスバリア材料とエラストマー材料との交互層を含む柔軟なミクロ層膜から形成され得る。加えて、全てがエステル系又はエーテル系の何れかである、ＰＥＬＬＥＴＨＡＮＥ、Ｄｏｗ  Ｃｈｅｍｉｃａｌ  Ｃｏｍｐａｎｙの製品；ＥＬＡＳＴＯＬＬＡＮ、ＢＡＳＦ  Ｃｏｒｐｏｒａｔｉｏｎの製品；及び、ＥＳＴＡＮＥ、Ｂ．Ｆ．  Ｇｏｏｄｒｉｃｈ  Ｃｏｍｐａｎｙの製品等の、多数の熱可塑性ウレタンが利用され得る。ポリエステル、ポリエーテル、ポリカプロラクトン及びポリカーボネートマクロゲルに基づく、さらに他の熱可塑性ウレタンが採用され得、様々な窒素ブロック材料もまた利用され得る。追加の適切な材料は、参照によって本明細書に組み込まれる、Ｒｕｄｙによる米国特許第４，１８３，１５６号明細書及び第４，２１９，９４５号明細書に開示される。さらに適切な材料は、参照によって本明細書に組み込まれる、Ｒｕｄｙによる米国特許第４，９３６，０２９号明細書及び第５，０４２，１７６号明細書に開示されるような、結晶材料を含む熱可塑性フィルム、並びに、参照によってまた本明細書に組み込まれる、Ｂｏｎｋ等による米国特許第６，０１３，３４０号明細書；第６，２０３，８６８号明細書；及び第６，３２１，４６５号明細書に開示されるような、ポリエステルポリオールを含むポリウレタンを含む。一実施形態では、ブラダー部材１６０は、熱可塑性−ウレタン（ＴＰＵ）の一以上の層を含み得る。
【００３２】
一以上のインサート部材に関して用いられる材料は変わり得る。いくつかの実施形態では、（第１のかかとインサート部材５２２及び／又は第２のかかとインサート部材５２４を含む）インサート部材は、ゴム、プラスチック、発泡体、及び、場合によっては、他の材料を含むが、それらに限定されない、インサートを作製することにおける使用に関して当該技術分野で既知の任意の材料で作製され得る。例示的材料は、エチレン酢酸ビニル（ＥＶＡ）発泡体である。
【００３３】
実施形態は、多色ソールシステムを提供し得る。特に、ソールシステムは、ソールシステムの異なる部分が異なる色を有する、多色デザイン、パターン又はビジュアルの外観を有し得る。さらに、いくつかの実施形態では、ソールシステムは、二つの異なる色を有する二つの異なる部分の間で段階的遷移が生じるように、着色され得る。
【００３４】
説明のために、図面は、ソールシステム１００にわたって、色における例示的変動を示すために、異なる種類の陰影（又は点刻）を使用する。そのため、例えば、同様の陰影／点刻の部分又は領域は、共通の色に関連し得る。同様に、異なる陰影／点刻を有する部分又は領域は、異なる色に関連し得る。
【００３５】
異なる実施形態では、各部材は、一以上の色を有し得る。図面に示される例示的実施形態では、各構成要素は、二以上の色を有する。特に、ソールシステム１００は、各部分が、前足部分１０に沿った第１の色１０１、及びかかと部分１４に沿った第２の色１０３を有する、全体的な色スキームを提供する。第１の色１０１は、第２の色１０３とは実質的に異なり得る。一つの可能な実施例として、第１の色１０１は青であり得、第２の色１０３は黄であり得る。さらに、第１の色１０１は、およそ足中央部分１２において第２の色１０３へ遷移する。一例示的実施形態では、ソールシステム１００に沿った色は、（前足部分１０に関連する）青から、（足中央部分１２に関連する）緑へ、（かかと部分１４に関連する）黄へ、徐々に変化し得る。
【００３６】
実施形態は特定の色スキームを描くが、他の実施形態が、任意の他の色スキームを利用し得ることが理解されるであろう。他の一つの実施例では、ソールシステムは、異なる色を有する、任意の部材の異なる部分を含み得る。さらに、着色された領域は、任意のパターン、グラフィック又は他のデザインを含み得る。
【００３７】
ここで図１から４を参照すると、ソールシステム１００に関する全体的な多色スキームは、対応する方法で、ソールシステム１００の各部材を着色することによって達成され得る。いくつかの実施形態では、各部材は、少なくとも二つの異なる着色部分を含み得る。アウトソール部材１４０は、それぞれ、第１の色１０１及び第２の色１０３を有する、第１のアウトソール部分１４１及び第２のアウトソール部分１４３を含み得る。いくつかの実施形態では、第１のアウトソール部分１４１及び第２のアウトソール部分１４３は、同様に、ソールシステム１００の、それぞれ、前足部分１０及びかかと部分１４に関連し得る。ブラダー部材１６０は、それぞれ、第１の色１０１及び第２の色１０３を有する、第１のブラダー部分１６１及び第２のブラダー部分１６３を含み得る。いくつかの実施形態では、ブラダー部材１６０の第１のブラダー部分１６１及び第２のブラダー部分１６３は、ソールシステム１００の、それぞれ、前足部分１０及びかかと部分１４と関連し得る。ミッドソール部材１８０は、それぞれ、第１の色１０１及び第２の色（ｆｌｏｏｒ）を有する、第１のミッドソール部分１８１及び第２のミッドソール部分１８３を含み得る。いくつかの実施形態では、第１のミッドソール部分１８１及び第２のミッドソール部分１８３は、ソールシステム１００の、それぞれ、前足部分１０及びかかと部分１４に関連し得る。
【００３８】
説明及び明確化のために、第１の色１０１及び第２の色１０３は、図におけるブラダー部材１６０上にラベル付けされるのみである。しかしながら、上述のように、アウトソール部材１４０及びミッドソール部材１８０の両方もまた、異なる陰影／点刻で示される、第１の色１０１及び第２の色１０３を備える部分を有する。
【００３９】
さらに、各部材は、第１の色１０１と第２の色１０３との間の遷移を提供する部分を含み得る。いくつかの実施形態では、アウトソール部材１４０の第３のアウトソール部分１４５は、第１のアウトソール部分１４１と第２のアウトソール部分１４３との間で伸び、第１の色１０１と第２の色１０３との間で滑らかに遷移する、（色の範囲又はグラデーションを含む）一以上の色を含み得る。同様にして、ブラダー部材１６０の第３のブラダー部分１６５は、第１のブラダー部分１６１と第２のブラダー部分１６３との間で伸び、第１の色１０１と第２の色１０３との間で滑らかに遷移する一以上の色を含み得る。同様にして、ミッドソール部材１８０の第３のミッドソール部分１８５は、第１のミッドソール部分１８１と第２のミッドソール部分１８３との間で伸び、第１の色１０１と第２の色１０３との間で滑らかに遷移する一以上の色を含み得る。いくつかの実施形態では、第３のアウトソール部分１４５、第３のブラダー部分１６５及び第３のミッドソール部分１８５は、第１の色１０１及び第２の色１０３のブレンドを含む。
【００４０】
実施形態は、ソールシステム１００の異なる構成要素又は部材上に色を提供するために、異なる着色条件を用い得る。例えば、ソールシステム１００のいくつかの構成要素又は部材は、基板材料の表面に結合される染料を用い得る。他の構成要素又は部材は、着色（例えば、塗料、着色フィルム、着色樹脂等）を提供するために基板材料の上を覆う、被覆、フィルム又は他の着色層を含み得る。さらに他の実施形態は、所定の色を有する材料を用い得る。
【００４１】
図９は、ソールシステム１００の一部分の拡大切断図を含む、ソール部材１００の実施形態の概略的等角図を示す。ここで図９を参照すると、アウトソール部材１４０、ブラダー部材１６０及びミッドソール部材１８０の各々は、異なる種類の着色条件に関連し得る。以前に議論したように、アウトソール部材１４０は、（ゴム等の）材料の実質的にモノリシックな片を含み得る。いくつかの実施形態では、アウトソール部材１４０の色は、アウトソール部材１４０を形成することにおいて用いられる材料の色によって決定され得る。いくつかの実施形態では、透明な（ｃｌｅａｒ）ゴム等の透明な材料が、着色されたゴムアウトソールを生成するための成形プロセスの間に着色剤と共に混合され得る。従って、いくつかの実施形態では、アウトソール部材１４０の各部分の色は、成形又は形成プロセスの間に決定され得る。このような実施形態では、追加の被覆、フィルム又は表面層は何も、色を提供するために、成形又は形成プロセスの後に、アウトソール部材１４０へ加えられないことがある。
【００４２】
以前に議論したように、ブラダー部材１６０は、一以上の染料を用いて着色され得る。いくつかの実施形態では、ブラダー部材１６０を着色するために用いられる染料は、外側バリア層１６２へ直接結合され得る。ブラダー部材１６０を染色するための可能性のある方法の詳細は、以下でさらに詳細に議論される。
【００４３】
いくつかの実施形態では、ミッドソール部材１８０への着色を提供するために、顔料又は他の着色剤を組み込む外側被覆層が用いられ得る。この例示的実施形態では、ミッドソール部材１８０は、所望の色を提供する外側被覆層９０４及び内核９０２を有するように示される。いくつかの実施形態では、例えば、内核９０２は、発泡材料を含み得る一方で、外側被覆層９０４は、塗料の被覆であり得る。
【００４４】
いくつかの実施形態はまた、ブラダー部材を備える一以上のインサート部材をカラーマッチングするための条件を含み得る。例えば、図５及び６に見られるように、第１のインサート部材５２０及び第２のインサート部材５２２は、ブラダー部材１６０のかかと部分１４に対して実質的に同様の色を有し得る。しかしながら、他の実施形態では、第１のインサート部材５２０及び／又は第２のインサート部材５２２は、任意の他の種類の着色を有し得る。第１のインサート部材５２０及び／又は第２のインサート部材５２２の着色を変えることによって、ブラダー部材１６０の内部部分の色は変わり得る。例えば、いくつかの実施形態では、第１のインサート部材５２０及び第２のインサート部材５２２は、ブラダー部材１６０の内部の中から部分的に見えることがある。そのため、第１のインサート部材５２０及び／又は第２のインサート部材５２２の色を変えることは、ブラダー部材１６０の中から見える（つまり、外側バリア層１６２を通して見える）色の変動をもたらし得る。
【００４５】
図１０は、実施形態に従った、ブラダー部材を染色するためのプロセスの概略図を示す。この実施形態では、ブラダー部材１００２は、前方部１０１０及び後方部１０１２を含む。後方部１０１２は、所定の期間の時間の間、第１の染料１０３２によって満たされた、第１の染色バット１０２０内にブラダー部材１００２を浸漬することによってすでに染色されている。ここで、後方部１０１２は、第１の色１００１で染色される。この後、前方部１０１０は、所定の期間の時間の間、第２の染料１０３０によって満たされた、第２の染色バット１０２２内にブラダー部材１００２の前方部１０１０を浸漬することによって第２の色１００３で染色される。
【００４６】
実施形態は、ブラダー部材を染色するための様々な異なる方法、プロセス及びシステム、又はソールシステムの任意の他の構成要素を用い得る。実施形態は、以下の文献において開示される、任意の方法、プロセス、システム及び染色材料を用い得る：“Ａｉｒｂａｇ  Ｄｙｅｉｎｇ  Ｃｏｍｐｏｓｉｔｉｏｎｓ  ａｎｄ  Ｐｒｏｃｅｓｓｅｓ”という題名で２００９年１１月３日に出願された、Ｂｒａｃｋｅｎ等による米国特許第７，６１１，５４７号明細書、及び、“Ｓｙｓｔｅｍ  ａｎｄ  Ｍｅｔｈｏｄ  ｆｏｒ  Ｃｏｌｏｒｉｎｇ  Ａｒｔｉｃｌｅｓ”（代理人整理番号５１−３２５２）という題名で２０１３年３月８日に出願された、Ｓｃｈｏｂｏｒｇによる米国特許出願公開第２０１４／０２５０６１０号明細書、今は米国特許出願番号第１３／７９１６４３であり、両方の文献の全体は、参照によって本明細書に組み込まれている。
【００４７】
ブラダー部材１６０の色部分へ染料を用いることは、複数のスロット１４９等の、アウトソール部材１４０における開口部を通して見える着色部分の全体性を維持するのを助け得る。特に、染料によって提供される着色は、複数のスロット１４９を通して地面にさらされるブラダー部材１６０の部分で特に、塗料又は他の被覆層よりも耐摩耗性であり得る。
【００４８】
変動する色のアウトソール部材を形成するための様々な方法が用いられ得る。いくつかの実施形態では、アウトソール部材は、一以上の事前に形成されたブランクに成形することによって形成され得る。二つの異なる色を有するアウトソール部材を作製するために、異なる着色されたブランクが、異なる部品を形成することにおいて用いられ得る。また、いくつかの実施形態では、二つの異なる着色剤は、所定の色を有する部分を形成するために、成形プロセスの間に成形材料へ加えられ得る。加えて、異なる色の二つの部分の間で遷移する色の範囲を含む、色の範囲を有する部分を形成するために、多数のより小さなブランクが、所望の色グラデーションを達成するために、並んで又は重ねられて配され得る。
【００４９】
異なる見た目の効果を達成するために、アウトソール部材は、異なる透明性を有する材料から作製され得る。いくつかの実施形態では、アウトソール部材の部分は、実質的に透明なゴムから作製され得る。他の実施形態では、アウトソール部材の部分は、実質的に半透明なゴムから作製され得る。さらに他の実施形態では、アウトソール部材の部分は、実質的に不透明なゴムから作製され得る。さらに、半透明及び不透明な部分の両方は、上述された所望の多色見た目効果を達成するために着色され得る。
【００５０】
実施形態は、二以上の色の間で徐々に変化する色スキーム、及び不意に遷移する色スキームを含む、異なる色スキームを有し得る。図１１及び１２は、アウトソール部材１１４０、ブラダー部材１１６０及びミッドソール部材１１８０を含む、ソールシステム１１００の他の一つの実施形態の概略図を示す。ここで、各部材は、ソールシステム１１００の第１の部分１１０２で第１の色１１０１を、及びソールシステム１１００の第２の部分１１０４で第２の色１１０３を有する。しかしながら、この配置では、滑らかな遷移よりも、ソールシステム１１００の界面領域１１９０で色における不意の変化が存在する。図１３及び１４は、アウトソール部材１３４０、ブラダー部材１３６０及びミッドソール部材１３８０を含む、ソールシステム１３００のさらに他の一つの実施形態の概略図を示す。ここで、各部材は、ソールシステム１３００の第１の部分１３０２で第１の色１３０１を、及びソールシステム１３００の第２の部分１３０４で第２の色１３０３を有する。加えて、遷移領域１３９０で、段階的な色変化、又はグラデーションが存在する。特に、各部材の色は、およそ連続的なやり方で、第１の色１３０１から第２の色１３０３へ徐々に変化する。
【００５１】
様々な実施形態が説明されてきた一方で、説明は、限定よりも例示を意図したものであり、多くのさらなる実施形態及び実装が、実施形態の範疇内である可能性があることが当業者にとって明らかであろう。従って、実施形態は、添付の特許請求の範囲及びそれらの同等物を考慮することなく制限されない。また、様々な修正及び変化が、添付の特許請求の範囲の範疇内で為され得る。
【図１】
0006556635.tif 000002
【図２】
0006556635.tif 000003
【図３】
0006556635.tif 000004
【図４】
0006556635.tif 000005
【図５】
0006556635.tif 000006
【図６】
0006556635.tif 000007
【図７】
0006556635.tif 000008
【図８】
0006556635.tif 000009
【図９】
0006556635.tif 000010
【図１０】
0006556635.tif 000011
【図１１】
0006556635.tif 000012
【図１２】
0006556635.tif 000013
【図１３】
0006556635.tif 000014
【図１４】
0006556635.tif 000015